(57)【要約】【課題】容易に複数台の照明装置のグルーピングを行い、グループ毎に照明装置を制御することができる照明システムを提供する。【解決手段】  照明システム１００は、複数の照明装置１０と制御装置２０とを備える。照明装置１０は光源１１と、外部と通信を行う通信部１４と、自機の機種を示す機種情報を記憶する記憶部１７とを有する。制御装置２０は、照明装置１０と通信可能であり、照明装置１０が有する機種情報毎にグルーピングし、グルーピングしたグループに属する機種情報毎に照明装置１０を制御する。【選択図】図１
2020013668.tif 000002
【特許請求の範囲】
【請求項１】
光源と、外部と通信を行う通信部と、自機の機種を示す機種情報を記憶する記憶部とを有する複数の照明装置と；
前記照明装置と通信可能であり、前記照明装置が有する機種情報毎にグルーピングし、グルーピングしたグループに属する機種情報毎に前記照明装置を制御する制御装置と；
を具備したことを特徴とする照明システム。
【請求項２】
前記照明装置は、さらに自機の識別情報を前記記憶部に記憶し、
前記制御装置は、前記機種情報毎にグルーピングしたグループとは異なる前記識別情報によりグルーピングした第２のグループを作成し、前記第２のグループに属する前記照明装置を制御することを特徴とする請求項１に記載の照明システム。
【請求項３】
さらに、前記照明装置は、蓄電池と、前記蓄電池を点検する点検部とを有し、前記制御装置は、前記照明装置に点検を実行する点検信号を送信する機能を有した照明システムであって、
前記照明装置は、前記機種情報毎のグループに点検を実行させる点検信号および前記第２のグループに点検を実行させる点検信号を受信した場合、先に受信した点検信号を優先して実行することを特徴とする請求項２に記載の照明システム。
【請求項４】
光源と；
外部と通信を行う通信部と；
自機の機種を示す機種情報を記憶する記憶部と；
蓄電池と；
前記蓄電池を点検する点検部と；
前記点検部に点検動作を開始させる点検スイッチと；
を具備する照明装置であり、
前記点検スイッチを操作されると、前記点検部に点検動作を開始させるとともに、前記通信部から前記機種情報を含む点検信号を送信する機能と、外部から受信した点検信号に含まれる機種情報と自機の機種情報とが一致する場合は点検部に点検動作を実行させることを特徴とする照明装置。
【請求項５】
請求項４に記載の複数の照明装置を有し、前記照明装置は、前記点検スイッチを操作されると前記点検部に点検動作を開始させるとともに、前記通信部から前記機種情報を含む点検信号を他の照明装置に送信し、前記点検信号を受信した他の照明装置は前記点検信号に含まれる前記機種情報と自機の機種情報とが一致する場合は点検部に点検動作を実行させるとともに前記機種情報を含む点検信号を他の照明装置に送信し、一致しない場合は点検動作を実行せず前記機種情報を含む点検信号を他の照明装置へ送信することを特徴とする照明システム。
【発明の詳細な説明】
【技術分野】
【０００１】
本発明の実施形態は、照明システムおよび照明装置に関する。
【背景技術】
【０００２】
施設内に複数台設置された照明装置などの被制御装置を制御する制御装置には、無線で制御信号を照明装置へ送信し、照明装置を制御するものがある。複数台の照明装置を一括して制御する場合、制御装置からの１つの信号で複数台の照明装置をまとめて制御するために複数の照明装置をグループ化し、このグループに属する照明装置に対して信号を送信するシステムがある。このグルーピングするためには、照明装置と制御装置間で通信を確立する必要がある。
【０００３】
しかしながら、複数台の照明装置を複数のグループにグルーピングし制御する場合、たとえば、照明装置から送信した識別情報を制御装置が受信し、制御装置は受信した識別情報を有する照明装置に対し自身の識別情報を送信することにより照明装置と制御装置の通信が確立し、その後制御装置で照明装置をグルーピングし、グルーピング情報を照明装置へ送信するため、照明装置と制御装置との間で複数回の通信を行う必要があり、初期設定の通信作業が煩雑になるため改善の余地があった。    
【先行技術文献】
【特許文献】
【０００４】
【特許文献１】特許第５２２８１４０号
【発明の概要】
【発明が解決しようとする課題】
【０００５】
本発明が解決しようとする課題は、容易に複数台の照明装置のグルーピングを行い、グループ毎に照明装置を制御することができる照明システムを提供することである。
【課題を解決するための手段】
【０００６】
実施形態の照明システムは、複数の照明装置と制御装置とを備える。照明装置は光源と、外部と通信を行う通信部と、自機の機種を示す機種情報を記憶する記憶部とを有する。制御装置は、照明装置と通信可能であり、照明装置が有する機種情報毎にグルーピングし、グルーピングしたグループに属する機種情報毎に照明装置を制御する。
【発明の効果】
【０００７】
本発明によれば、容易に複数台の照明装置のグルーピングを行い、グループ毎に照明装置を制御することが期待できる。
【図面の簡単な説明】
【０００８】
【図１】実施形態の照明システムの構成を示す図である。
【図２】実施形態の照明装置（非常灯）の斜視図である。
【図３】実施形態の照明装置（誘導灯）の斜視図である。
【図４】実施形態の照明装置の構成例を示す図である。
【図５】実施形態の通信端末の構成例を示す図である。
【図６】実施形態の通信端末の表示部の表示例を示す図である。
【図７】実施形態の第１のグループのイメージ図である。
【図８】実施形態の第１のグループおよび第２のグループのイメージ図である。
【図９】実施形態の通信端末の表示部の表示例を示す図である。
【発明を実施するための形態】
【０００９】
以下、実施形態を図面を参照して説明する。
【００１０】
図１に示すように、照明システム１００は、オフィスや商業施設内の照明空間１の天井面に設置された複数の照明装置１０（１０a〜１０i）と、照明装置１０と通信可能に接続される制御装置として通信端末２０（以降、制御装置を「通信端末」と称す）とから構成される。通信端末２０は、スマートフォンやタブレット通信端末等の携帯通信端末であり、照明装置１０と無線通信が可能に構成されている。
【００１１】
また、各照明装置１０a〜１０i間、および各照明装置１０a〜１０iと通信端末２０との間の通信方式は、たとえば、ＢＬＥ（Bluetooth（登録商標）Low  Energy）などのメッシュネットワークが可能な無線通信方式である。
【００１２】
ここで、照明装置１０は外部電源として商用電源の電力を充電可能な蓄電池を搭載した防災用照明装置であり照明装置１０a〜１０fは非常灯（以降、「非常灯１０a〜１０f」と称す）、照明装置１０g〜１０iは誘導灯（以降、「誘導灯１０g〜１０i」と称す）とする。これら防災用照明装置は災害時に蓄電池の電力により光源を点灯させ避難通路を照らしたり、非常口を示すピクトグラムを照らし非常口へ誘導することで非常時の安全を確保するものである。
【００１３】
図２ないし図４を併せて参照して示すように照明装置１０は、無線通信を行う通信部１４を有し、通信部１４を介して自機の識別情報や機種情報などの情報を通信端末２０へ送信する。
【００１４】
次に、照明装置１０a〜１０iの構成例を説明する。非常灯１０ａ〜１０fは非常灯１０として説明し、誘導灯１０g〜１０iは誘導灯１０として説明する。
【００１５】
図２は非常灯１０の外観を示す図であり、図３は誘導灯１０の外観を示す図であり、図４は非常灯１０および誘導灯１０の内部構成を示す図である。非常灯１０は、制御部１３、記憶部１７、通信部１４および光源１１などを備え、これらは照明装置の筐体１６の内部に収納されている。また、筐体１６の背面側には、外部電源（図示しない）と接続される端子台１９が設けられている。非常灯１０は、端子台１９を介して供給された外部電源の電力により駆動する。非常灯１０は通常時は外部電源の電力を蓄電池１２に充電し光源１１は点灯させず、外部電源が遮断する災害時または点検時に蓄電池１２の電力により光源１１を点灯させる。
【００１６】
一方、図３に示すように誘導灯１０は、非常口や非常口の方向を示すピクトグラムを有する照明装置であり、筐体１６とピクトグラムが印刷されたパネル１８とを有し、筐体１６に設置された光源１１を点灯させ導光板（図示しない）により導光した光をパネル１８に照射する。蓄電池１２、端子台１９、通信部１４は、筐体１６に収容される。誘導灯１０は、通常時は外部電源の電力により光源１１を点灯させるとともに蓄電池１２を充電し、外部電源が遮断する災害時または点検時に蓄電池１２の電力により光源１１を点灯させる。
【００１７】
図４に示すように非常灯１０及び誘導灯１０は、制御部１３、記憶部１７、点検部１５、通信部１４および光源１１などを備え、これらの各部は、データバスを介して互いに接続されている。なお、照明装置１０は、図４に示すような構成の他に必要に応じた構成を具備したり、特定の構成を除外したりしてもよい。
【００１８】
制御部１３は、照明装置１０の動作を制御する機能を有する。制御部１３は、記憶部１７に予め記憶したプログラムを実行することにより種々の処理を実現する。制御部１３は、たとえば、プロセッサである。
【００１９】
記憶部１７は、揮発性メモリおよび不揮発性メモリなどから構成される。たとえば、記憶部１７は、予め制御用のプログラムおよび制御データなどを格納する。
【００２０】
また、記憶部１７は、自機を示す識別情報を格納する。識別情報は、照明装置１０を特定する情報であり、たとえば、識別情報はＭＡＣアドレスなどの固有アドレスである。
【００２１】
また、記憶部１７は自機の機種を表す機種情報を格納する。機種情報は照明装置の機種を表す情報であり、英数字などにより表記される。この機種情報は、たとえば、機種毎に共通した情報が付与されることにより、非常灯や誘導灯などの属性を表すことができる。また、この機種情報は、たとえば、誘導灯の壁取付タイプや天井取付タイプなどの機能別に付与されたものでもよく、機種情報により照明装置の属性や機能により区別することができる。
【００２２】
記憶部１７は合わせて、記憶部１７はこの機種情報に該当する機種の名称を格納する。記憶部１７には、照明装置１０の製造時において識別情報および機種情報、機種名称を格納してもよい。
【００２３】
また、記憶部１７は、点検情報を格納する。ここで、点検情報とは点検部１５により点検された蓄電池１２の電圧、電流、温度、放電時間および放電回数などの情報である。
【００２４】
蓄電池１２は、筐体１６の内部に着脱可能な電池であり、ニカド電池、ニッケル水素電池、あるいはリチウムイオン電池などの充電可能な二次電池である。
【００２５】
点検部１５は、蓄電池１２の点検を実施する。ここで、点検とは、外部電源からの電力の供給を一時的に遮断し、蓄電池１２の電力により光源１１を法令で定められた所定の時間点灯させる動作である。具体的には、照明装置１０が非常灯である場合、蓄電池１２の電力により光源１１を３０分間点灯させ、誘導灯である場合、蓄電池１２の電力により光源１１を２０分間点灯させる。そして、蓄電池１２の電圧、電流、温度、放電時間および放電回数を検知することにより蓄電池１２が正常に動作するか否かの点検を行い、これらの点検情報を記憶部１７に出力する。
【００２６】
通信部１４は、無線通信で通信端末２０および他の照明装置１０に情報を送受信するためのインターフェースである。通信部１４は、たとえば、Ｂｌｕｅｔｏｏｔｈ（登録商標）接続をサポートするインターフェースである。ここでは、通信部１４は、ＢＬＥ通信をサポートするものとする。
【００２７】
光源１１は、外部電源または蓄電池１２からの電力の供給により点灯する。光源１１は、たとえば、白熱電球、蛍光灯、又は、ＬＥＤなどから構成される。
【００２８】
点検スイッチ３０は、点検動作を開始させるスイッチであり、外部より押圧（操作）されることにより起動する。点検スイッチ３０が操作されると外部電源からの電力の供給が一時的に遮断され、蓄電池１２の電力により光源１１が点灯する。点検部は１５は、蓄電池１２の点検を開始する。
【００２９】
次に、通信端末２０の構成例について説明する。
【００３０】
図５は、通信端末２０の構成例を示す図である。通信端末２０は、基本的な構成として、制御部２１、記憶部２２、通信部２５、入力部２６および表示部２７などを備える。これらの各部は、データバスを介して互いに接続されている。なお、通信端末２０は、図５に示すような構成の他に必要に応じた構成を具備したり、特定の構成を除外したりしてもよい。
【００３１】
制御部２１は、通信端末２０全体の動作を制御する機能を有する。制御部２１は、記憶部２２が予め記憶するプログラムを実行することにより種々の処理を実現する。
【００３２】
なお、制御部２１がプログラムを実行することにより実現する各種の機能のうちの一部は、ハードウエア回路により実現されるものであってもよい。この場合、制御部２１は、ハードウエア回路により実行される機能を制御する。
【００３３】
また、制御部２１は、照明装置１０の機種情報毎にグルーピングする機能を有する（以降、機種情報によりグルーピングされたグループを「第１のグループ」と称す）。照明装置１０から機種情報を受信すると、機種情報毎にグルーピングし機種情報に該当する機種の名称を記憶部２２から呼び出し、機種の名称およびグループに属する照明装置の台数を表示部２７に表示する。
【００３４】
さらに、制御部２１は、照明装置１０を識別情報とは異なる情報によりグルーピングする機能を有する。たとえば、照明装置１０から受信した識別情報によりグルーピングを行う（以降、識別情報によりグル―ピングされたグループを「第２のグループ」と称す）。
【００３５】
記憶部２２は、揮発性メモリおよび不揮発性メモリなどから構成される。
【００３６】
記憶部２２は、通信部２５を介して受信した照明装置１０の識別情報や機種情報などの情報を格納する。
【００３７】
また、記憶部２２は、機種情報に該当する機種の名称を格納する。
【００３８】
通信部２５は、照明装置１０の通信部１４と同様に、無線通信で照明機器１０とのデータを送受信するためのインターフェースである。通信部２５は、たとえば、Ｂｌｕｅｔｏｏｔｈ（登録商標）接続をサポートするインターフェースである。ここでは、通信部２５は、ＢＬＥ通信をサポートするものとする。
【００３９】
入力部２６は、通信端末２０の操作者によって、種々の操作指示が入力される。入力部２６は、操作者によって入力された操作指示の信号を制御部２１へ送信する。入力部２６は、たとえば、キーボード、テンキー、およびタッチパネルなどである。
【００４０】
表示部２７は、制御部２１の制御により種々の情報を表示する表示装置である。表示部２７は、たとえば、液晶モニタなどである。なお、入力部２６がタッチパネルなどで構成される場合、表示部２７は、入力部２６と一体的に形成されてもよい。
【００４１】
ここでは、入力部２６は、タッチパネルから構成され、表示部２７と一体的に形成され
るものとする。
【００４２】
次に、照明システム１００の動作について説明する。
【００４３】
ここでは、図１に示すように非常灯１０a〜１０fおよび誘導灯１０g〜１０iが、ＢＬＥメッシュネットワークにより互いに通信可能に設置されているものとする。各照明装置１０は、記憶部１７から自機の識別情報および機種情報を呼び出し通信部１４から外部へ送信する。
【００４４】
図６は、照明装置１０から識別情報および機種情報を受信した通信端末２０の表示部２７を示している。図６に示すように、通信端末２０は、照明装置１０から送信された識別情報および機種情報を受信すると、記憶部１７に記憶し、機種情報毎にグルーピングを行う。そして、グルーピングした機種の名称をグループ名称としてグループ名称３２、受信した照明装置１０の台数３３および、点検ボタン３４を有するテーブル３５を表示部２７に表示する。ここで、制御装置２０は、非常灯１０a〜１０fと誘導灯１０g〜１０iの機種情報を受信しているため、表示部２７には非常灯のテーブル３５Ａと誘導灯のテーブル３５Ｂが表示される。通信端末２０は、表示部２７に表示される点検ボタン３４がタップされると、非常灯を示す機種情報を有する照明装置１０に対し点検を実行する信号を送信する。この信号を受信した照明装置１０は、受信した信号に含まれる機種情報と、自機の機種情報とを比較し、一致している場合は点検動作を開始するとともに、この信号をＢＬＥメッシュネットワークで繋がっている他の照明装置１０へ送信する。一方、受信した信号に含まれる機種情報と自機の機種情報が一致しない場合、点検動作を実行せず他の照明装置１０へ信号を送信する。
【００４５】
図７は、機種情報ごとにグルーピングされた照明装置１０のイメージ図である。
【００４６】
通信端末２０は、照明装置１０から機種情報を受信すると機種情報毎にグルーピングを行う。図１に示すように照明装置１０は非常灯１０a〜１０f、誘導灯１０g〜１０iである場合、通信端末２０は、たとえば、非常灯１０a〜１０ｆを第１のグループＡ、誘導灯１０g〜１０iを第１のグループＢとしてグルーピングする。
【００４７】
これにより、通信端末２０は、照明装置１０を機種毎に制御することができる。つまり、制御装置２０は、機種情報を用いて機種毎にグルーピングを行い、グループに属する機種情報毎に照明装置１０を制御することができる。そのため、照明装置１０と通信端末２０との間で複数回の通信を行う必要がなく、グルーピングを容易に行うことができる。
【００４８】
実施形態では、照明装置１０が非常灯と誘導灯である場合について説明したが、図１の照明空間内に、ダウンライトやシーリングライトなど複数種類の照明装置が設置されている場合であっても、それぞれの照明装置１０が機種情報を有することで、機種の数に関わらず容易にグルーピングし、グルーピングしたグループに属する機種情報毎に照明装置１０を制御することができる。
【００４９】
また、各照明装置１０はＢＬＥによりメッシュネットワークにより通信可能に接続されているため、通信端末２０は、どの照明装置に対しても信号を送信してよい。つまり、第１のグループＡに属する非常灯１０を制御する場合、第１のグループＡに属する非常灯１０に信号を送信してもよいし、第２のグループＢに属する誘導灯１０に信号を送信してもよい。
【００５０】
次に、通信端末２０が、第１のグループと異なる第２のグループを作成し、グルーピングしたグループに属する照明装置を制御する動作について説明する。
【００５１】
図８は、第１のグループおよび第２のグループにグルーピングされた照明装置１０のイメージ図を示している。図に示すように、通信端末２０は、照明装置１０から受信した識別情報を用いて第２のグルーピングを行う。たとえば、照明装置１０a、１０b、１０d、１０e、１０g、１０hを第２のグループＡ、照明装置１０c、１０f、１０iを第２のグループＤとしてグルーピングする。つまり、照明装置１０は機種情報による第１のグループと、識別情報による第２のグループとにグルーピングされる。
【００５２】
図９は、第１のグループおよび第２のグループを表示した通信端末２０の表示部２７を示している。図に示すように、図９の表示部２７は、図６の表示部２７の下部に第２のグループのテーブル３５Ｃ、３５Ｄが追加されたものである。
【００５３】
ここで、第２のグループの名称はそれぞれグループＣ、グループＤとしているが、このグループ名称はユーザーにより任意に変更することができる。
【００５４】
通信端末２０は、表示部２７に表示される点検ボタン３４がタップされると、そのグループに属する照明装置１０に対し点検を実行する信号を送信する。
【００５５】
ここで、照明装置１０は、複数の点検信号を受信した場合、先に受信した信号を優先して実行する。たとえば、第２のグループＤに属する照明装置１０が信号を受信し点検動作を実行中に、通信端末２０の表示部２７のグループ名称「非常灯」の点検ボタンがタップされ第１のグループＢに属する照明装置１０に点検信号が送信された場合、点検を実行している誘導灯１０iは、点検の途中で第１のグループＢに対する信号を受信しても点検動作のやり直しや中断をせず点検動作を継続する。つまり、照明装置１０は、先に受信した信号を優先して実行する。これにより、点検動作途中に信号を受信した場合でも、点検動作を中断せずに実行することができる。
【００５６】
一方で、第１のグループＢに属する誘導灯１０g、１０hは点検動作を実行する。これにより、第２のグループＤに属する非常灯１０c、１０f、誘導灯１０iと第１のグループＢに属する誘導灯１０g、１０hに点検動作を実行させることができる。つまり、複数のグループを組み合わせることにより複数台の照明装置１０を制御することができる。
【００５７】
このように、照明システム１００は、照明装置１０の機種情報によりグルーピングすることにより、機種の数に関わらず容易にグルーピングすることができ、グループに属する機種情報毎に制御することができる。さらに、識別情報を用いてグルーピングすることにより、機種情報を用いた第１のグループと識別情報を用いた第２のグループとを有することができるため、グループの組み合わせにより複数台の照明装置１０を制御することができる。
【００５８】
なお、実施形態では、被制御装置として蓄電池を有する非常灯、誘導灯である場合を例に説明したが、勿論この構成に限ることはない。たとえば、実施形態に係る照明装置は、蓄電池を有しない通常の照明装置でもよく、たとえば、ダウンライト、シーリングなどでもよい。この場合、制御装置２０は、たとえば、光源の点灯、消灯、調光などの制御信号を送信する。そのため、通信端末２０の表示部２７には点検ボタン３４ではなく調光ボタンなどを表示するようにしてもよい。
【００５９】
また、照明装置１０は、点検スイッチ３０が操作されると、点検部１５に点検動作を開始させるとともに、自機の機種情報を含む点検信号を通信部１４を介してＢＬＥメッシュネットワークで繋がっている他の照明装置１０へ送信してもよい。この信号を受信した照明装置１０は、受信した信号に含まれる機種情報と、自機の機種情報とを比較し、一致している場合は点検動作を開始するとともに、この信号をＢＬＥメッシュネットワークで繋がっている他の照明装置１０へ送信する。一方、受信した信号に含まれる機種情報と自機の機種情報が一致しない場合、点検動作を実行せず他の照明装置１０へ信号を送信する。
【００６０】
そのため、たとえば、非常灯１０aの点検スイッチを操作することで非常灯１０b〜１０ｆの点検動作を行うことができ、誘導灯１０gの点検スイッチを操作することで誘導灯１０h、１０iの点検動作を行うことができる。
【００６１】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６２】
１００  照明システム
１      照明空間
１０    照明装置
１１    光源
１２    蓄電池
１３    制御部
１４    通信部
１５    点検部
１７    記憶部
２０    通信端末（制御装置）
２１    制御部  
２２    記憶部
２５    通信部
２６    入力部
２７    表示部
【図１】
2020013668.tif 000003
【図２】
2020013668.tif 000004
【図３】
2020013668.tif 000005
【図４】
2020013668.tif 000006
【図５】
2020013668.tif 000007
【図６】
2020013668.tif 000008
【図７】
2020013668.tif 000009
【図８】
2020013668.tif 000010
【図９】
2020013668.tif 000011